(57)【要約】【課題】本発明は、マルチエアコンシステムのリモコンにロンワーク通信機能を付加してマルチエアコンシステムと残りの設備の間で自立分散制御ができるようにするビルディング管理システムを提供するためのものである。【解決手段】本発明は、ビルディング管理システムに関するものであって、建物の空調を遂行するマルチエアコンシステムと、前記マルチエアコンシステムを除外した前記建物の残りの設備をＢＭＳ制御器と連結するロンワークネットワークと、前記ロンワークネットワークに連結された前記マルチエアコンシステムのリモコンとを含む。【選択図】図１
2008176767.tif 000002
【特許請求の範囲】
【請求項１】
建物の空調を遂行するマルチエアコンシステムと、
前記マルチエアコンシステムを除外した前記建物の残りの設備をＢＭＳ制御器と連結するロンワークネットワークと、
前記ロンワークネットワークに連結された前記マルチエアコンシステムのリモコンと、
を含むことを特徴とするビルディング管理システム。
【請求項２】
前記マルチエアコンシステムと前記残りの設備との間では前記ＢＭＳ制御器の関与なしに前記マルチエアコンシステム、または、前記残りの設備が制御できる自立分散制御が可能であることを特徴とする請求項１記載のビルディング管理システム。
【請求項３】
前記リモコンは、前記マルチエアコンシステムから伝えられるマルチエアコンプロトコルのデータを内部データに変換してニューロンチップに送り、また、前記ニューロンチップでロンワークプロトコルのデータを変換して内部データに伝送すれば、前記内部データを前記マルチエアコンプロトコルのデータに変換して前記マルチエアコンシステムに伝達するＣＰＵを含むことを特徴とする請求項１記載のビルディング管理システム。
【請求項４】
前記リモコンは、ロンワークネットワークから伝えられるロンワークプロトコルのデータを内部データに変換してＣＰＵに送り、また、前記ＣＰＵでマルチエアコンプロトコルのデータを変換して内部データに伝送すれば、前記内部データを前記ロンワークプロトコルのデータに変換して前記ロンワークネットワークに伝達するニューロンチップを含むことを特徴とする請求項１記載のビルディング管理システム。
【請求項５】
前記ＢＭＳ制御器から伝送された前記マルチエアコンシステムの制御命令は、前記ロンワークネットワーク及び前記リモコンを経て前記マルチエアコンシステムに伝達されることを特徴とする請求項１記載のビルディング管理システム。
【請求項６】
前記マルチエアコンシステムの状態データは、前記リモコンと前記ロンワークネットワークを経て前記ＢＭＳ制御器に伝達されることを特徴とする請求項１記載のビルディング管理システム。
【請求項７】
前記リモコンは、前記残りの設備の制御にも使用できることを特徴とする請求項１記載のビルディング管理システム。
【請求項８】
マルチエアコンシステムから伝えられるデータをニューロンチップに送るとか、前記ニューロンチップから伝送されたデータを前記マルチエアコンシステムに伝達するＣＰＵと、
ロンワークネットワークと連結されて前記ロンワークネットワークに伝えられるデータをＣＰＵに送るとか、前記ＣＰＵから伝送されたデータを前記ロンワークネットワークに伝達するニューロンチップと、
を含むことを特徴とするマルチエアコンシステムのリモコン。
【請求項９】
前記ＣＰＵは、前記マルチエアコンシステムから伝えられるマルチエアコンプロトコルのデータを内部データに変換して前記ニューロンチップに送り、前記ニューロンチップでロンワークプロトコルのデータを変換して内部データに伝送すれば、前記内部データを前記マルチエアコンプロトコルのデータに変換して前記マルチエアコンシステムに伝達することを特徴とする請求項８記載のマルチエアコンシステムのリモコン。
【請求項１０】
前記ニューロンチップは、前記ロンワークネットワークから伝えられるロンワークプロトコルのデータを内部データに変換して前記ＣＰＵに送り、また、前記ＣＰＵでマルチエアコンプロトコルのデータを変換して内部データに伝送すれば、前記内部データを前記ロンワークプロトコルのデータに変換して前記ロンワークネットワークに伝達することを特徴とする請求項８記載のマルチエアコンシステムのリモコン。
【発明の詳細な説明】
【技術分野】
【０００１】
本発明は、ビルディング管理システムに関し、より詳しくは、マルチエアコンシステムのリモコンでロンワーク通信ができるビルディング管理システムに関する。
【背景技術】
【０００２】
最近、建物が大型化、自動化することにつれて、建物内の照明、エレベータ、及びボイラーなどを自動で管理するビルディング管理システムを使用する建物が増加しているが、従来のビルディング管理システムは、前述した各設備の統合を容易にするために、開放型ネットワークであるＢＡＣｎｅｔ（Building Automation and Control net）、ロンワーク（Lonworks、Local operating network works）ネットワークなどを主に利用した。
【０００３】
その中で、ロンワークネットワークの使用例は、大韓民国公開特許公報特２００６−９９９１８号（ビルディング管理システム）によく表れているが、特２００６−９９９１８号はロンワークネットワークにより連結されて建物内に構築された電力、照明などのサブシステムを中央制御するＢＭＳ制御器と、室外機及び室外機とＲＳ−４８５通信方式により少なくとも１つ以上連結された室内機から構成されるマルチエアコンシステムと、ロンワークネットワーク及びＲＳ−４８５通信方式のデータを変換してＢＭＳ制御器でマルチエアコンシステムが中央制御できるようにするロンゲートウェイにて建物の各設備を制御した。
【０００４】
一方、前述したロンワークネットワークは、自立分散制御が主要な特徴であるが、自立分散制御はＢＭＳ制御器が関与しなくて、各設備の動作が調節できる制御方式である。例えば、前述した特２００６−９９９１８号の図２において、ロンワークネットワークにボイラーが更に連結されたことと仮定する際、図２の照明が付くとボイラーも共に付くようにするものである。
【０００５】
しかしながら、このような従来のビルディング管理システムは、ロンワークネットワークに直接連結された各設備の間では自立分散制御が可能であるが、ロンワークネットワークに連結された設備とマルチエアコンシステムとの間には自立分散制御ができなくて、ロンワークシステムの長所を十分に生かせない問題点があった。
【０００６】
即ち、例えば、図２の照明がつくとマルチエアコンシステムの室内機もつくようにしたい際、従来のビルディング管理システムでは、自立分散制御ができないために、ＢＭＳ制御器によって照明がついたことを確認してマルチエアコンシステムの室内機に運転命令を伝送する方式により制御が遂行されざるを得なかった。
【特許文献１】韓国特許出願公開第２００６−９９９１８号公報
【発明の開示】
【発明が解決しようとする課題】
【０００７】
本発明は、前述した問題を解決するためのものであって、本発明の目的は、マルチエアコンシステムのリモコンにロンワーク通信機能を付加してマルチエアコンシステムと残りの設備の間で自立分散制御ができるようにするビルディング管理システムを提供することにある。
【課題を解決するための手段】
【０００８】
前述した目的を達成するための本発明は、建物の空調を遂行するマルチエアコンシステムと、前記マルチエアコンシステムを除外した前記建物の残りの設備をＢＭＳ制御器と連結するロンワークネットワークと、前記ロンワークネットワークに連結された前記マルチエアコンシステムのリモコンと、を含む。
【０００９】
また、前記マルチエアコンシステムと前記残りの設備との間では前記ＢＭＳ制御器の関与なしに前記マルチエアコンシステム、または、前記残りの設備が制御できる自立分散制御が可能である。
【００１０】
また、前記リモコンは、前記マルチエアコンシステムから伝えられるマルチエアコンプロトコルのデータを内部データに変換してニューロンチップに送り、また、前記ニューロンチップでロンワークプロトコルのデータを変換して内部データに伝送すれば、前記内部データを前記マルチエアコンプロトコルのデータに変換して前記マルチエアコンシステムに伝達するＣＰＵを含む。
【００１１】
また、前記リモコンは、ロンワークネットワークから伝えられるロンワークプロトコルのデータを内部データに変換してＣＰＵに送り、また、前記ＣＰＵでマルチエアコンプロトコルのデータを変換して内部データに伝送すれば、前記内部データを前記ロンワークプロトコルのデータに変換して前記ロンワークネットワークに伝達するニューロンチップを含む。
【００１２】
また、前記ＢＭＳ制御器から伝送された前記マルチエアコンシステムの制御命令は、前記ロンワークネットワーク及び前記リモコンを経て前記マルチエアコンシステムに伝達される。
【００１３】
また、前記マルチエアコンシステムの状態データは、前記リモコンと前記ロンワークネットワークを経て前記ＢＭＳ制御器に伝達される。
【００１４】
また、前記リモコンは、前記残りの設備の制御にも使用されることができる。
【００１５】
また、マルチエアコンシステムから伝えられるデータをニューロンチップに送るとか、前記ニューロンチップから伝送されたデータを前記マルチエアコンシステムに伝達するＣＰＵと、ロンワークネットワークと連結されて前記ロンワークネットワークに伝えられるデータをＣＰＵに送り、また、前記ＣＰＵから伝送されたデータを前記ロンワークネットワークに伝達するニューロンチップとを含む。
【００１６】
また、前記ＣＰＵは、前記マルチエアコンシステムから伝えられるマルチエアコンプロトコルのデータを内部データに変換して前記ニューロンチップに送り、前記ニューロンチップでロンワークプロトコルのデータを変換して内部データに伝送すれば、前記内部データを前記マルチエアコンプロトコルのデータに変換して前記マルチエアコンシステムに伝達する。
【００１７】
また、前記ニューロンチップは、前記ロンワークネットワークから伝えられるロンワークプロトコルのデータを内部データに変換して前記ＣＰＵに送り、また、前記ＣＰＵでマルチエアコンプロトコルのデータを変換して内部データに伝送すれば、前記内部データを前記ロンワークプロトコルのデータに変換して前記ロンワークネットワークに伝達する。
【発明の効果】
【００１８】
以上、詳細に説明したように、本発明はマルチエアコンシステムのリモコンをロンワークネットワークと連結してマルチエアコンシステムとロンワークネットワークに連結された各設備の間に自立分散制御が可能であるようにする。
【００１９】
また、本発明は、マルチエアコンシステムのリモコンでロンワークネットワークに連結された設備の動作が調節できるようにする。
【発明を実施するための最良の形態】
【００２０】
以下、本発明の好ましい実施形態を本図面を参照しつつ詳細に説明する。図１に示すように、本発明の一実施形態に係るビルディング管理システムは、建物の各設備を中央制御するＢＭＳ制御器１０と、各サブネット（Subnet）の設備を制御して、サブネットに含まれた設備の動作状況をＢＭＳ制御器１０に伝達するサブ制御器２０とを含む。この際、サブネットは、設備の管理単位である１つのゾーン（zone）に含まれた各設備の間のネットワークである。
【００２１】
また、図１のビルディング管理システムは、建物の空調を遂行するために、室外機３０及び室外機３０に連結された複数の室内機３１を有するマルチエアコンシステムと、室内に人があるかどうかを感知する人体感知センサ３２、照明３３等、その他の設備を含む。前記において、マルチエアコンシステムの室外機３０及び各室内機３１の間にはＲＳ−４８５などのカスタムネットワーク（custom network）により連結されている。
【００２２】
また、前述したビルディング管理システムは、建物の各設備３２、３３、サブ制御器２０及びＢＭＳ制御器１０を互いに連結するロンワークネットワーク５０と、ロンワークネットワーク５０に連結されたマルチエアコンシステムのリモコン４０を具備する。
【００２３】
図２に示すように、図１のリモコン４０は、ニューロンチップ（neuron chip）４１、ＣＰＵ４２、入力部４３、ディスプレイ部４４、マルチエアコンインターフェース４６、及びロンワークインターフェース４５を含む。
【００２４】
ニューロンチップ４１は、開放プロトコルであるロンワークプロトコル（即ち、ロントーク（Lontalk））を有してあり、最大６４個のＮＶ（network variable）を搭載することができる。ここで、ＮＶはロンワークネットワークにおいて、各設備間データ交換に使われる変数である。これらを利用してニューロンチップ４１は、ロンワークネットワーク５０から伝送されたロンワークプロトコルのデータ（ＢＭＳ制御器１０から伝えられた制御命令データ、または、各設備から伝えられた各設備の状態データ等）を解釈し、リモコン４０の内部で使われる内部データに変換してＣＰＵ４２に伝達する。そして、ＣＰＵ４２から伝えられる内部データをロンワークプロトコルのデータに変換してロンワークネットワーク５０に伝送する。
【００２５】
また、ニューロンチップ４１は、ＣＰＵ４２から伝えられる内部データにマルチエアコンシステムの動作状態を確認して、入力部４３から伝えられたリモコン信号をＣＰＵ４２に伝達する。
【００２６】
ＣＰＵ４２は、マルチエアコンシステムの室内機３１から伝送されたマルチエアコンプロトコルのデータ（マルチエアコンシステムの状態データ等）をリモコンの内部で使われる内部データに変換してニューロンチップ４１に伝達する。そして、ニューロンチップ４１から伝えられる内部データをマルチエアコンプロトコルのデータに変換してマルチエアコンシステムの室内機３１に伝達する。
【００２７】
入力部４３は、ボタン操作の際、リモコン信号を生成してニューロンチップ４１に送り、ディスプレイ部４４はマルチエアコンシステムの動作状態を表示する。マルチエアコンインターフェース４６とロンワークインターフェース４５は、リモコン４０を各々マルチエアコンシステム及びロンワークネットワーク５０と接続させる。
【００２８】
以下、本発明の一実施形態に係るビルディング管理システムの動作を詳細に説明する。ＢＭＳ制御器１０から伝送されたマルチエアコンシステムの制御命令は、サブ制御器２０及びロンワークネットワーク５０を経て制御しようとする室内機３１のリモコン４０に伝達される。そうすると、ニューロンチップ４１は、マルチエアコンシステムの制御命令を解釈し、ロンワークプロトコルの制御命令を内部データに変換する。そして、この内部データをＣＰＵ４２に伝達する。
【００２９】
ＣＰＵ４２は、ニューロンチップ４１から伝えられた内部データをマルチエアコンプロトコルの制御命令にまた変換し、これを室内機３１に伝達する。室内機３１は、マルチエアコンシステムの制御命令を室外機３０に送り、室外機３０はこの制御命令を解析して室内機３１などの動作を調節する。
【００３０】
逆に、マルチエアコンプロトコルのマルチエアコンシステム状態データは、ＣＰＵ４２で内部データに変換されてニューロンチップ４１に伝えられる。そうすると、ニューロンチップ４１は、内部データをロンワークプロトコルの状態データに変換してロンワークネットワーク５０に伝送して、この状態データはサブ制御器２０を経て最終的にＢＭＳ制御器１０に伝達される。
【００３１】
一方、使用者がマルチエアコンシステムの運転調節のためにリモコン４０のボタンを操作すれば、入力部４３はリモコン信号を生成して、このリモコン信号はニューロンチップ４１を経てＣＰＵ４２に伝達される。そうすると、ＣＰＵ４２はこのリモコン信号を室外機３０に伝達して、室外機３０はリモコン信号を解析してマルチエアコンシステムの運転を調節する。
【００３２】
本発明のビルディング管理システムに含まれたリモコン４０は、前述した動作の他にマルチエアコンシステムと残りの設備３２、３３との間に自立分散制御が可能にする。即ち、人体感知センサ３１等、残りの設備の状態変化をマルチエアコンシステムのその他の設備に伝達するＮＶ（または、ＳＮＶＴ（standard network variable type））をセッティングして置けば、各設備の状態変化の際、ＮＶがマルチエアコンシステムなどの制御対象設備に伝達されて、この場合、ＢＭＳ制御器１０によらず、マルチエアコンシステムなどの運転が制御される。
【００３３】
一例として、人体感知センサ３２の状態変化をマルチエアコンシステムに伝達するＳＮＶＴを設定して置けば、人体感知センサ３２の状態変化がある時、ＳＮＶＴがリモコン４０に伝えられて、リモコン４０はＳＮＶＴをマルチエアコンプロトコルに変換して最終的に室外機３０に伝達されるようにすることで、室外機３０が室内機３１などの運転を調節するようにする。
【００３４】
したがって、前述したマルチエアコンシステムはＢＭＳ制御器１０によらなくても人が室内に居住すれば、自動にマルチエアコンシステムが作動するようにし、逆に、人が室外に出ると自動にマルチエアコンシステムが消えるようにすることができる。
【００３５】
また一方、本発明のビルディング管理システムは、図１のように、マルチエアコンシステムの各室内機３１にリモコン４０を連結しなくて、多数の室内機３１を制御する１つのリモコン４０のみを置いてグループ制御が可能にすることができる。この場合、リモコン４０の操作時、リモコン４０と連結された全ての室内機３１の動作が共に調節されることは勿論である。
【００３６】
また、本発明で使われるリモコン４０は、マルチエアコンシステムの他にロンワークネットワーク５０に連結された他の設備の制御にも使われることができるが、リモコン４０に他の設備の制御のためのボタンを別途に設けて該当設備の動作を制御することができる。
【００３７】
このようなリモコン４０では、使用者が制御することを希望する設備のボタンを押せば、ニューロンチップ４１が入力部４３から伝えられたリモコン信号を解析してロンワークプロトコルのデータに変換し、このデータがロンワークネットワーク５０を経て制御目標である各設備に伝達する。そうすると、各設備は伝えられたデータによって動作される。
【図面の簡単な説明】
【００３８】
【図１】本発明の一実施形態に係るビルディング管理システムを示すブロック図である。
【図２】図１のリモコンを示すブロック図である。
【符号の説明】
【００３９】
１０    ＢＭＳ制御器
２０    サブ制御器
３０    室外機
３１    室内機
３２    人体感知センサ
３３    照明
４０    リモコン
４１    ニューロンチップ
４２    ＣＰＵ
５０    ロンワークネットワーク
【図１】
2008176767.tif 000003
【図２】
2008176767.tif 000004